(57)【要約】【課題】不揮発性を有する記憶部の容量を抑制できる起動制御システムを提供する。【解決手段】起動制御システム１は、サーバー装置Ｔと、起動装置３とを備える。サーバー装置Ｔは、複数種類の第１プログラムＰ１を記憶する。起動装置３は、通信ネットワークＮを介してサーバー装置Ｔに接続される。起動装置３は、通信部３２と、記憶部３３と、制御部３１とを備える。通信部３２は、サーバー装置Ｔと通信を行う。記憶部３３は、第１プログラムＰ１を記憶可能な揮発性の第１記憶部３４と、第２プログラムＰ２を予め記憶する不揮発性の第２記憶部Ｐ２とを有する。制御部３１は、第２プログラムＰ２に基づいて、通信部３２を制御する。制御部３１は、サーバー装置Ｔから第１プログラムＰ１を取得するように通信部３２を制御し、取得した第１プログラムＰ１を第１記憶部３４に記憶させる。【選択図】図３
2018061180.tif 000002
【特許請求の範囲】
【請求項１】
複数種類の第１プログラムを記憶する外部装置と、
通信ネットワークを介して前記外部装置と接続された起動装置と
を備えた、起動制御システムであって、
前記起動装置は、
前記外部装置と通信を行う通信部と、
前記第１プログラムを記憶可能な揮発性の第１記憶部と、第２プログラムを予め記憶する不揮発性の第２記憶部とを有する記憶部と、
前記第２プログラムに基づいて、前記通信部を制御する制御部と
を備え、
前記制御部は、前記外部装置から前記第１プログラムを取得するように前記通信部を制御し、取得した前記第１プログラムを前記第１記憶部に記憶させる、起動制御システム。
【請求項２】
前記記憶部は、不揮発性の第３記憶部を更に有し、
前記制御部は、前記第１記憶部に記憶させた前記第１プログラムの名称を示す取得データを生成し、前記取得データを前記第３記憶部に記憶させ、
前記制御部は、前記起動装置の起動時において、前記取得データに基づいて、前記外部装置から前記第１プログラムを取得し、取得した前記第１プログラムを前記第１記憶部に記憶させる、請求項１に記載の起動制御システム。
【請求項３】
前記制御部は、
前記取得データに基づいて、前記第１プログラムの未使用期間を計測し、
前記未使用期間と閾値とを比較して前記未使用期間が前記閾値を超える前記第１プログラムを判定し、
前記未使用期間が前記閾値を超える前記第１プログラムを前記取得データから削除する、請求項２に記載の起動制御システム。
【請求項４】
前記起動装置は、使用者に各種の画面を表示する表示部と、使用者の操作を示す操作信号を前記制御部に出力する操作部とを有する操作表示部を更に備え、
前記制御部は、
前記第２プログラムに基づいて、前記外部装置に記憶された前記第１プログラムのリストを取得するように前記通信部を制御し、
取得した前記リストを表示するように前記表示部を制御し、
前記操作信号に応じて、前記第１プログラムを取得するように前記通信部を制御する、請求項１から請求項３のいずれか１項に記載の起動制御システム。
【請求項５】
記録媒体に画像を形成する画像形成部と、
通信ネットワークを介して外部装置と接続された起動装置と
を備えた、画像形成装置であって、
前記起動装置は、
前記外部装置と通信を行う通信部と、
前記第１プログラムを記憶可能な揮発性の第１記憶部と、第２プログラムを予め記憶する不揮発性の第２記憶部とを有する記憶部と、
前記第２プログラムに基づいて、前記通信部を制御する制御部と
を備え、
前記制御部は、前記外部装置から前記第１プログラムを取得するように前記通信部を制御し、取得した前記第１プログラムを前記第１記憶部に記憶させる、画像形成装置。
【発明の詳細な説明】
【技術分野】
【０００１】
本発明は、起動制御システム、及び画像形成装置に関する。
【背景技術】
【０００２】
特許文献１に記載の画像処理装置は、フラッシュメモリーと、ハードディスクとを備える。フラッシュメモリーは、使用者による新たな書き込みが不可能である。フラッシュメモリーは、既存アプリケーションを記憶する。ハードディスクは、使用者による新たな書き込みが可能である。フラッシュメモリー、及びハードディスクは、不揮発性であるため、電力の供給の有無によらずにアプリケーションを記憶する。特許文献１に記載の画像処理装置では、外部から取得した外部アプリケーションがハードディスクに記憶される。外部アプリケーションを実行することによって、画像処理装置には、多様な機能が追加される。
【先行技術文献】
【特許文献】
【０００３】
【特許文献１】特開２００４−１１２７８５号公報
【発明の概要】
【発明が解決しようとする課題】
【０００４】
しかしながら、特許文献１に記載の画像処理装置では、使用者によって選択された複数の第１プログラム（外部アプリケーション）がハードディスクに順次記憶される。更に、第１プログラムの容量は、経時的に肥大化傾向にある。したがって、特許文献１に記載の画像処理装置では、予め大容量のハードディスクを要したり、又はハードディスクの増設を要したりするおそれがある。
【０００５】
本発明は上記課題に鑑みてなされたものであり、その目的は、不揮発性を有する記憶部の容量を抑制できる起動制御システム、及び画像形成装置を提供することにある。
【課題を解決するための手段】
【０００６】
本発明に係る起動制御システムは、外部装置と、起動装置とを備える。前記外部装置は、複数種類の第１プログラムを記憶する。前記起動装置は、通信ネットワークを介して前記外部装置と接続される。前記起動装置は、通信部と、記憶部と、制御部とを備える。前記通信部は、前記外部装置と通信を行う。前記記憶部は、前記第１プログラムを記憶可能な揮発性の第１記憶部と、第２プログラムを予め記憶する不揮発性の第２記憶部とを有する。前記制御部は、前記第２プログラムに基づいて、前記通信部を制御する。前記制御部は、前記外部装置から前記第１プログラムを取得するように前記通信部を制御し、取得した前記第１プログラムを前記第１記憶部に記憶させる。
【０００７】
本発明に係る画像形成装置は、画像形成部と、起動装置とを備える。前記画像形成部は、記録媒体に画像を形成する。前記起動装置は、通信ネットワークを介して外部装置と接続される。前記起動装置は、通信部と、記憶部と、制御部とを備える。前記通信部は、前記外部装置と通信を行う。前記記憶部は、前記第１プログラムを記憶可能な揮発性の第１記憶部と、第２プログラムを予め記憶する不揮発性の第２記憶部とを有する。前記制御部は、前記第２プログラムに基づいて、前記通信部を制御する。前記制御部は、前記外部装置から前記第１プログラムを取得するように前記通信部を制御し、取得した前記第１プログラムを前記第１記憶部に記憶させる。
【発明の効果】
【０００８】
本発明の起動制御システム、及び画像形成装置によれば、不揮発性を有する記憶部の容量を抑制できる。
【図面の簡単な説明】
【０００９】
【図１】本発明の実施形態に係る起動制御システムを示すブロック図である。
【図２】図１の画像形成装置の構成を示す図である。
【図３】図２の画像形成装置の構成を示すブロック図である。
【図４】図３の制御部による取得制御を示すフローチャートである。
【図５】図３の制御部による起動制御を示すフローチャートである。
【発明を実施するための形態】
【００１０】
以下、図面を参照して本発明の実施形態を説明する。ただし、本発明は以下の実施形態に限定されない。なお、図中、同一、又は相当部分については、同一の参照符号を付して説明を繰り返さない。
【００１１】
図１を参照して、本発明の実施形態に係る起動制御システム１について説明する。図１は、本発明の実施形態に係る起動制御システム１を示すブロック図である。図１に示すように、起動制御システム１は、サーバー装置Ｔと、複数の画像形成装置２とを備える。
【００１２】
サーバー装置Ｔは、本発明の外部装置の一例である。サーバー装置Ｔは、例えば、サーバー側通信部Ｔ１と、サーバー側記憶部Ｔ２とを有する。サーバー側記憶部Ｔ２は、複数種類の第１プログラムＰ１を記憶する。また、サーバー側記憶部Ｔ２は、リストを有する。リストは、サーバー側記憶部Ｔ２が記憶する複数の第１プログラムＰ１を示す。リストは、複数の第１プログラムＰ１の各々を示す名称等を並べて形成される。
【００１３】
複数種類の第１プログラムＰ１の各々は、画像形成装置２において用いられるプログラムである。第１プログラムＰ１は、例えば、画像形成装置２の機能を拡張したり、又は画像形成装置２に新たな機能を追加したりする。具体的には、第１プログラムＰ１は、ＦＡＸ機能を拡張したり、ＵＳＢ機能を拡張したり、無線機能を拡張したり、又は解像度の設定機能を追加したりする。
【００１４】
サーバー装置Ｔは、通信ネットワークＮを介して画像形成装置２と接続される。通信ネットワークＮは、例えば、インターネット、又は専用回線である。サーバー側通信部Ｔ１は、通信ネットワークＮを介して、画像形成装置２との通信が可能である。
【００１５】
図２を参照して、本実施形態の画像形成装置２について説明する。図２は、本実施形態の画像形成装置２の構成を示す図である。図２に示すように、本実施形態の画像形成装置２は、複合機である。なお、画像形成装置２は、コピー、プリンター、又はファクシミリであってもよい。複合機は、例えば、コピー機能、プリンター機能、及びファクシミリ機能のうち少なくとも２つの機能を有する。
【００１６】
画像形成装置２は、起動装置３と、操作パネル４と、画像形成部６とを備える。起動装置３は、通信ネットワークＮを介してサーバー装置Ｔと接続される。起動装置３の詳細は、図３を参照して後述する。
【００１７】
画像形成部６は、画像データに基づいて、用紙Ｓに画像を形成する。画像形成部６は、感光体ドラム６１と、帯電部６２と、露光部６３と、現像部６４と、転写部６５とを有する。
【００１８】
用紙Ｓは、記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１９】
操作パネル４は、表示部４１と、操作部４２とを有する。操作部４２は、ハードキーを含む。操作部４２は、使用者の操作に応じた操作信号を出力する。使用者の操作は、例えば、画像形成装置２の各種設定を行う操作を含む。
【００２０】
表示部４１は、ディスプレーから構成される。ディスプレーは、タッチパネル機能を有するＬＣＤ（Ｌｉｑｕｉｄ  Ｃｒｙｓｔａｌ  Ｄｉｓｐｌａｙ）、又は有機ＥＬＤ（Ｅｌｅｃｔｒｏ  Ｌｕｍｉｎｅｓｃｅｎｃｅ  Ｄｉｓｐｌａｙ）を含む。表示部４１は、使用者に各種の画面を表示する。また、表示部４１は、タッチパネル機能を有する場合に、入力キー等が描かれた操作画面を表示して、操作部４２としても機能する。
【００２１】
図３を参照して、起動装置３の構成について説明する。図３は、画像形成装置２の構成を示すブロック図である。図３に示すように、起動装置３は、制御部３１と、通信部３２と、記憶部３３とを備える。
【００２２】
通信部３２は、通信ネットワークＮを介して、サーバー装置Ｔのサーバー側通信部Ｔ１と通信を行う。通信部３２は、サーバー側通信部Ｔ１に制御部３１の要求を送信する。また、通信部３２は、サーバー側記憶部Ｔ２が記憶する第１プログラムＰ１、及びリストを、サーバー側通信部Ｔ１を介して受信する。
【００２３】
記憶部３３は、第１記憶部３４と、第２記憶部３５と、第３記憶部３６とを有する。第１記憶部３４は、複数の第１プログラムＰ１を記憶可能である。第１記憶部３４は、例えば、ＲＡＭ（Ｒａｎｄｏｍ  Ａｃｃｅｓｓ  Ｍｅｍｏｒｙ）等の半導体メモリーを有する。第１記憶部３４は、揮発性を有する。したがって、第１記憶部３４は、画像形成装置２の電源がＯＦＦとなった際に第１プログラムＰ１を消失する。
【００２４】
第２記憶部３５は、複数の第２プログラムＰ２を予め記憶する。第２記憶部３５は、例えば、ＲＯＭ（Ｒｅａｄ  Ｏｎｌｙ  Ｍｅｍｏｒｙ）等の半導体メモリーを有する。第２記憶部３５は、新たな書き込みが不可能である。また、第２記憶部３５は、不揮発性を有する。したがって、第２記憶部３５は、画像形成装置２の電源がＯＦＦとなっても第２プログラムＰ２を消失しない。
【００２５】
第２プログラムＰ２は、制御部３１によって実行されるプログラムである。第２プログラムＰ２は、操作パネル４、及び通信部３２の制御に用いられる。また、第２プログラムＰ２は、例えば、画像形成装置２の基幹機能の制御に用いられる。基幹機能とは、例えば、画像形成装置２のコピー機能、プリンター機能、及びファクシミリ機能である。
【００２６】
第３記憶部３６は、取得データＰ３を記憶可能である。第３記憶部３６は、例えば、ハードディスクを有する。第３記憶部３６は、不揮発性を有する。第３記憶部３６は、画像形成装置２の電源がＯＦＦとなっても取得データＰ３を消失しない。
【００２７】
取得データＰ３は、例えば、複数のプログラム情報を有する。各プログラム情報は、例えば、制御部３１によって第１記憶部３４に記憶された第１プログラムＰ１の名称を示す。また、プログラム情報において、第１プログラムＰ１の名称は、第１プログラムＰ１が第１記憶部３４に記憶された記憶日時、及び第１プログラムＰ１が使用された使用日時に関連付けて示される。
【００２８】
制御部３１は、第１記憶部３４に記憶された複数の第１プログラムＰ１、及び第２記憶部３５に記憶された複数の第２プログラムＰ２を実行することにより、操作パネル４、画像形成部６、及び通信部３２を制御する。制御部３１は、例えば、ＣＰＵ（Ｃｅｎｔｒａｌ  Ｐｒｏｃｅｓｓｉｎｇ  Ｕｎｉｔ）から構成される。
【００２９】
制御部３１は、例えば、操作信号と、画像データとに基づいて、画像形成装置２を制御する。具体的には、操作信号と、画像データとに基づいて、用紙Ｓに画像を形成するように画像形成部６を制御する。操作信号は、使用者の操作に応じて、操作パネル４の操作部４２から入力される。画像データは、原稿の画像を示す。画像データは、例えば、スキャナー、及び画像形成装置２の外部のパソコンから入力される。なお、画像データは、例えば、ＵＳＢ機能、及び無線機能を用いて、例えば、カメラから入力されてもよい。ＵＳＢ機能、及び無線機能は、例えば、制御部３１が第１プログラムＰ１を実行することによって使用可能となる。
【００３０】
制御部３１は、例えば、第１プログラムＰ１を取得するための操作信号が入力された際に、サーバー装置Ｔのサーバー側記憶部Ｔ２からリストを取得するように通信部３２を制御する。制御部３１は、取得したリストに基づいて、表示部４１に表示させる表示画面を形成する。表示画面は、例えば、リストに含まれる複数の第１プログラムＰ１の各々を示す名称を並べて形成される。
【００３１】
制御部３１は、表示画面を形成した後に、表示画面を表示するように操作パネル４の表示部４１を制御する。したがって、表示部４１には、サーバー装置Ｔから取得可能な第１プログラムＰ１を示す名称が並べて表示される。この結果、使用者は、表示画面を介して、サーバー側記憶部Ｔ２に記憶された複数の第１プログラムＰ１から所望の第１プログラムＰ１を選択することができる。
【００３２】
また、制御部３１は、第１プログラムＰ１が選択画面から選択されたことを示す操作信号が入力されると、サーバー側記憶部Ｔ２から第１プログラムＰ１を取得するように通信部３２を制御する。この結果、使用者が所望する第１プログラムＰ１が、サーバー装置Ｔのサーバー側通信部Ｔ１から送信される。
【００３３】
制御部３１は、サーバー装置Ｔから第１プログラムＰ１を取得した後に、取得した第１プログラムＰ１を第１記憶部３４に記憶させる。したがって、第１プログラムＰ１を取得しても、不揮発性を有する記憶部に記憶されるプログラムの数が増加しない。この結果、本実施形態の画像形成装置２では、不揮発性を有する第３記憶部３６の容量を抑制することができる。
【００３４】
また、制御部３１は、第１記憶部３４に第１プログラムＰ１を記憶させるとともに、取得データＰ３を更新する。具体的には、制御部３１は、第１記憶部３４に第１プログラムＰ１を記憶させる際に、取得した第１プログラムＰ１の名称、及び日時等のプログラム情報を取得データＰ３に追加して、第３記憶部３６の取得データＰ３を更新する。
【００３５】
続いて、画像形成装置２の起動時の制御部３１の動作について説明する。本実施形態の画像形成装置２では、第１記憶部３４が揮発性を有する。したがって、画像形成装置２の電源がＯＦＦとなった際に、第１プログラムＰ１は第１記憶部３４から消失する。
【００３６】
制御部３１は、画像形成装置２の起動時に、取得データＰ３に基づいて、サーバー装置Ｔから第１プログラムＰ１を取得する。制御部３１は、取得データＰ３が有する全てのプログラム情報に示される第１プログラムＰ１を取得する。制御部３１は、取得した第１プログラムＰ１を第１記憶部３４に順次記憶させる。したがって、本実施形態の画像形成装置２では、画像形成装置２の電源をＯＮした際に、以前に取得した第１プログラムＰ１が再度取得される。この結果、画像形成装置２の電源を操作する毎に、使用者が操作して第１プログラムＰ１を取得する必要がなく、画像形成装置２の利便性を向上できる。
【００３７】
また、制御部３１は、第１記憶部３４に記憶される第１プログラムＰ１を実行した際にも、取得データＰ３を更新する。具体的には、制御部３１は、実行した第１プログラムＰ１のプログラム情報に含まれる使用日時を、第１プログラムＰ１を実行した日時に更新する。
【００３８】
本実施形態の制御部３１は、画像形成装置２の起動時において、サーバー装置Ｔから第１プログラムＰ１を取得するよりも前に、未使用期間が閾値を超える第１プログラムＰ１のプログラム情報を取得データＰ３から削除する。閾値は、予め設定される期間であって、例えば、１０日である。また、閾値は、使用者によって再設定が可能である。
【００３９】
制御部３１は、第１プログラムＰ１のプログラム情報を取得データＰ３から削除する場合に、まず、各プログラム情報に含まれる使用日時と現在の日時とに基づいて、各第１プログラムＰ１の未使用期間を計測する。次に、制御部３１は、計測した未使用期間と閾値とを比較して、複数の第１プログラムＰ１の中から、閾値を超える未使用期間の第１プログラムＰ１を判定する。次に、制御部３１は、未使用期間が閾値を超える第１プログラムＰ１を取得データＰ３から削除する．この結果、画像形成装置２の起動時に、制御部３１によって取得される第１プログラムＰ１の数が減少し、画像形成装置２の起動時間を短縮できる。
【００４０】
図４を参照して、第１プログラムＰ１を取得する際の制御部３１の取得制御について説明する。図４は、制御部３１の取得制御を示すフローチャートである。図４に示すように、制御部３１は、例えば、使用者が第１プログラムＰ１を取得する操作を開始した際に、ステップＳ１０において、サーバー装置Ｔからリストデータを取得するように通信部３２を制御する。制御部３１は、リストデータを取得すると、ステップＳ２０において、選択画面を形成して、選択画面を表示するように表示部４１を制御する。
【００４１】
制御部３１は、選択画面を表示させると、ステップＳ３０において、使用者によって選択された第１プログラムＰ１を示す操作信号が入力されたか否かを判断する。制御部３１は、選択された第１プログラムＰ１を示す操作信号が入力されずに、例えば、第１プログラムＰ１の取得のキャンセルを示す操作信号が入力された場合には（ステップＳ３０のＮｏ）、取得制御を終了する。なお、制御部３１は、ステップＳ３０において、所定の時間内に操作信号が入力されない場合にも取得制御を終了する。
【００４２】
一方、制御部３１は、選択された第１プログラムＰ１を示す操作信号が入力された場合には（ステップＳ３０のＹｅｓ）、ステップＳ４０において、使用者によって選択された第１プログラムＰ１を取得するように通信部３２を制御する。制御部３１は、第１プログラムＰ１を取得すると、ステップＳ５０において、取得した第１プログラムＰ１を第１記憶部３４に記憶させる。制御部３１は、第１プログラムＰ１を記憶させると、ステップＳ６０において、取得データＰ３を更新して、取得制御を終了する。なお、制御部３１は、第１プログラムＰ１を第１記憶部３４に記憶させた後に、第１プログラムＰ１を取得したことを示す取得画面を形成し、取得画面を表示するように表示部４１を制御してもよい。
【００４３】
図５を参照して、画像形成装置２の起動時の制御部３１の起動制御について説明する。図５は、制御部３１の起動制御を示すフローチャートである。図５に示すように、制御部３１は、ステップＳ１１０において、画像形成装置２の電源がＯＮにされると、ステップＳ１２０において、第３記憶部３６に記憶された取得データＰ３を取得する。制御部３１は、取得データＰ３を取得すると、ステップＳ１３０において、取得データＰ３の各プログラム情報を確認して、各第１プログラムＰ１の未使用期間を計測する。
【００４４】
制御部３１は、各第１プログラムＰ１の未使用期間を計測すると、ステップＳ１４０において、未使用期間と閾値とを比較する。制御部３１は、未使用期間が閾値を超える場合に（ステップＳ１４０のＹｅｓ）、ステップＳ１５０において、閾値を超える未使用期間の第１プログラムＰ１のプログラム情報を取得データＰ３から削除するように取得データＰ３を更新する。制御部３１は、取得データＰ３を更新すると、ステップＳ１６０において、更新後の取得データＰ３に含まれる第１プログラムＰ１を取得するように通信部３２を制御する。制御部３１は、サーバー装置Ｔから第１プログラムＰ１を取得すると、ステップＳ１７０において、取得した第１プログラムＰ１を第１記憶部３４に記憶させ、起動制御を終了する。
【００４５】
制御部３１は、全ての未使用期間が閾値を超えない場合に（ステップＳ１４０のＮｏ）、ステップＳ１６０に遷移して、取得データＰ３に含まれる第１プログラムＰ１を取得するように通信部３２を制御する。
【００４６】
以上、図１から図５を参照して、本発明の実施形態に係る起動制御システム１、及び画像形成装置２について説明した。但し、本発明は、上記の実施形態に限られるものではなく、その要旨を逸脱しない範囲で種々の態様において実施することが可能である。
【００４７】
例えば、本発明の実施形態では、制御部３１は、第２プログラムＰ２を実行することにより、画像形成部６を制御していたが、本発明はこれに限定されない。本発明の制御部３１は、記憶部３３に記憶されるプログラムを実行することにより、画像形成部６を制御すればよい。制御部３１は、例えば、第１プログラムＰ１を実行することにより、画像形成部６を制御してもよい。この結果、第２記憶部３５に予め記憶される第２プログラムＰ２の数を減少でき、不揮発性を有する第２記憶部３５の容量を抑制できる。
【００４８】
また、例えば、本発明の実施形態では、閾値を超える未使用期間の第１プログラムＰ１のプログラム情報を取得データＰ３から削除していたが、本発明は、これに限定されない。本発明では、使用者が使用しない第１プログラムＰ１のプログラム情報が、取得データＰ３から削除されればよい。取得データＰ３に含まれる第１プログラムＰ１は、例えば、使用者の操作によって、取得データＰ３から削除されてもよい。
【００４９】
詳しくは、使用者は、所望の第１プログラムＰ１を取得する際に、取得する第１プログラムＰ１を、画像形成装置２の起動時に再度取得するか否かを、選択画面から選択する。この結果、画像形成装置２の起動時に、使用者が一度のみ使用するために取得した第１プログラムＰ１が再取得されるのを防止でき、画像形成装置２の起動時間をより一層短縮できる。
【００５０】
なお、取得データＰ３は、例えば、第１プログラムＰ１の未使用期間と閾値とに基づく自動モードと、使用者の操作に基づく手動モードとの少なくともいずれかのモードによって更新されればよい。この結果、画像形成装置２の起動時に、使用者が不要とする第１プログラムＰ１の取得が防止され、起動時間を短縮できる。
【００５１】
また、例えば、本発明の実施形態では、表示部４１に、サーバー装置Ｔから取得可能な第１プログラムＰ１を示す名称が表示されるが、本発明は、これに限定されない。本発明の表示部４１は、サーバー装置Ｔから取得可能な第１プログラムＰ１を示す表示をすればよい。表示部４１は、例えば、サーバー装置Ｔから取得可能な第１プログラムＰ１を示すアイコン、及び第１プログラムＰ１の機能を説明する説明文を表示してもよい。
【００５２】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００５３】
本発明は、起動制御システム、及び画像形成装置に関するものであり、外部装置から第１プログラムを取得可能な起動制御システム、及び画像形成装置に有用である。
【符号の説明】
【００５４】
１        起動制御システム
２        画像形成装置
３        起動装置
３１      制御部
３２      通信部
３３      記憶部
３４      第１記憶部
３５      第２記憶部
Ｐ１      第１プログラム
Ｐ２      第２プログラム
Ｔ        サーバー装置
【図１】
2018061180.tif 000003
【図２】
2018061180.tif 000004
【図３】
2018061180.tif 000005
【図４】
2018061180.tif 000006
【図５】
2018061180.tif 000007